(57)【要約】【課題】  可動屋根がどの位置にあっても雨水を確実に排水することのできる簡易建物の提供。【解決手段】  一組の梁１ａ，１ｂと、梁の内側間に架設した固定屋根２と、両梁の上面に載置してあり、梁の長手方向に沿って固定屋根の側方位置から固定屋根の上方位置に移動自在な可動屋根３とを備え、固定屋根２は梁１ａの長手方向と平行に設けた雨樋１２を介して雨水を下方に排出するものであり、梁１ａは外側に長手方向に沿って雨樋４を有し、可動屋根３は、梁１ａの長手方向と平行に設けた雨樋５と雨樋５の雨水を梁の雨樋４に流す竪樋６とを有し、梁の雨樋４を介して雨水を下方に排出するものであることを特徴とする。【選択図】      図１
2008240246.tif 000002
【特許請求の範囲】
【請求項１】
一組の梁と、梁の内側間に架設した固定屋根と、両梁の上面に載置してあり、梁の長手方向に沿って固定屋根の側方位置から固定屋根の上方位置に移動自在な可動屋根とを備え、固定屋根は梁の長手方向と平行に設けた雨樋を介して雨水を下方に排出するものであり、梁は外側に長手方向に沿って雨樋を有し、可動屋根は、梁の長手方向と平行に設けた雨樋と雨樋の雨水を梁の雨樋に流す竪樋とを有し、梁の雨樋を介して雨水を下方に排出するものであることを特徴とする簡易建物。
【発明の詳細な説明】
【技術分野】
【０００１】
本発明は、固定屋根と可動屋根を有する簡易建物に関する。
【背景技術】
【０００２】
玄関前や庭などに、雨よけのために簡易的な屋根を設置することがあるが、天気の良い日には屋根をずらして開放感を味わいたいときもある。特許文献１には、支柱の上端部に固定枠が設けられ、固定枠に固定屋根と、固定屋根の下方に収納した収納位置とその収納位置から前後に引き出された引出し位置との間で移動可能な可動屋根とを設けた簡易建物が記載されている。屋根を支持する一組の梁（鉄骨１４，１４）には上面に長手方向に沿って雨樋１８が取付けてあり、この雨樋１８で固定屋根と可動屋根両方の雨水を受けて外部に排水している。この屋根では、可動屋根を移動させることにより屋根全体の面積が変化するが、雨樋は固定屋根用と可動屋根用で兼用しているので、屋根の面積が大きいときに大雨が降ると雨樋から雨水があふれるおそれがある。  
【特許文献１】特開平１０−３１７６９８号公報
【発明の開示】
【発明が解決しようとする課題】
【０００３】
本発明は以上に述べた実情に鑑み、可動屋根がどの位置にあっても雨水を確実に排水することのできる簡易建物の提供を目的とする。
【課題を解決するための手段】
【０００４】
上記の課題を達成するために請求項１記載の発明による簡易建物は、一組の梁と、梁の内側間に架設した固定屋根と、両梁の上面に載置してあり、梁の長手方向に沿って固定屋根の側方位置から固定屋根の上方位置に移動自在な可動屋根とを備え、固定屋根は梁の長手方向と平行に設けた雨樋を介して雨水を下方に排出するものであり、梁は外側に長手方向に沿って雨樋を有し、可動屋根は、梁の長手方向と平行に設けた雨樋と雨樋の雨水を梁の雨樋に流す竪樋とを有し、梁の雨樋を介して雨水を下方に排出するものであることを特徴とする。
【発明の効果】
【０００５】
請求項１記載の発明による簡易建物は、梁の長手方向に沿って移動自在な可動屋根が固定屋根よりも上方に位置し、固定屋根は梁の長手方向と平行に設けた雨樋を介して雨水を下方に排出するものであり、梁は外側に長手方向に沿って雨樋を有し、可動屋根は、梁の長手方向と平行に設けた雨樋と雨樋の雨水を梁の雨樋に流す竪樋とを有し、梁の雨樋を介して雨水を下方に排出するものであるため、可動屋根がどの位置にあっても雨水を確実に排水することができる。天気の良い日には、可動屋根を固定屋根の上方位置に移動することにより、開放感が得られる。
【発明を実施するための最良の形態】
【０００６】
以下、本発明の実施の形態を図面に基づいて説明する。図２は、本発明の簡易建物の一実施形態を示す正面図であり、図３は同簡易建物の平面図であり、図４は同簡易建物の左側面図であり、図１は図３のＡ−Ａ断面図である。この簡易建物は、玄関の前や庭等に、雨よけのために設置されるものである。
本簡易建物は、４本の柱７が地面から鉛直に起立して設けられ、柱７の上端部に連結して一組の梁１ａ，１ｂが前後方向に架設してある。左右の梁１ａ，１ｂに支持して屋根が設けてあり、屋根の略後側半分は固定屋根２となっており、屋根の略前側半分は前後方向に移動する可動屋根３となっている。右側の梁１ｂは、左側の梁１ａよりも若干高い位置にあり、固定屋根２と可動屋根３は、左側が低くなるように傾斜して設置されている。
【０００７】
固定屋根２は、アルミ製の長尺材を複数組合わせて立体トラス構造の骨組み８を形成し、その上面に透明な樹脂製のパネル９を載置し、パネル押え１０でパネル９を骨組み８に固定している。固定屋根２は、図２，３に示すように、外周に枠１１が取付けてあり、左側の枠は雨樋１２になっている。固定屋根２は、左右端部を梁１ａ，１ｂの内側面にそれぞれ固定してある。雨樋１２の端部には竪樋１３が連結してあり、固定屋根２上に降った雨水は、雨樋１２と竪樋１３を通して排水される。
【０００８】
可動屋根３は、固定屋根２と同じように、アルミ製の長尺材で立体トラス構造の骨組み８を形成し、屋根の上面に透明な樹脂製のパネル９を取付け、屋根の周囲に枠１１が取付けてある。左側の枠は雨樋５となっている。可動屋根３の下面側の左右両端部には、図２と図４に示すように、前後方向に複数の車輪１４が取付けてある。左右の梁１ａ，１ｂの上面には、前記車輪１４が走行するレール１５が前後方向に取付けてあり、可動屋根３は車輪１４とレール１５を介して、固定屋根２の前方位置から固定屋根２の上方に重なる位置まで移動自在となっている。図中の符号１６は、可動屋根３を動かすための駆動装置であり、下方に垂下したハンドル１７を回すことで可動屋根３が前後に移動するようになっている。
【０００９】
左側の梁１ａの外側面には、図３，４に示すように、梁１ａの長手方向に沿って雨樋４が取付けてあり、雨樋４の両端部に接続して柱７に沿うように竪樋１８が取付けてある。可動屋根３の雨樋５の前後端部には短い竪樋６が接続してあり、図１に示すように、竪樋６の下端部が梁の雨樋４内に位置している。可動屋根３上に降った雨水は、可動屋根の雨樋５と竪樋６、梁の雨樋４、竪樋１８を通して排水される。
【００１０】
本簡易建物は、以上に述べたように構成され、可動屋根３を前後方向に移動することにより屋根の面積を変更することができ、天気の良い日には可動屋根３を最大限後方に動かして固定屋根２の上方に重ねれば、屋根の面積が略半分になって開放感が得られる。しかも本簡易建物は、固定屋根２の雨水を固定屋根２に梁１ａの長手方向と平行に設けた雨樋１２を介して下方に排出し、梁１ａの外側面に長手方向に沿って雨樋４が取付けてあり、可動屋根３には梁１ａの長手方向と平行に雨樋５を有すると共に、該雨樋５の雨水を梁の雨樋４に流す竪樋６を有しており、可動屋根３の雨水を梁の雨樋４を介して下方に排出するようにしたので、可動屋根３がどの位置にあっても雨水を確実に排水することができる。また本簡易建物は、固定屋根２と可動屋根３がアルミ製の立体トラス構造の骨組み８で形成されているので、大型で高強度の屋根を比較的軽量に構成することができ、間口の広い屋根付き空間を戸外に形成できる。
【００１１】
本発明は以上に述べた実施形態に限定されない。実施形態のものでは、可動屋根が固定屋根の前方位置から固定屋根の上方位置に移動するようになっているが、可動屋根が固定屋根の右側や左側位置、又は後方位置から固定屋根の上方位置に移動するようにすることもできる。固定屋根や可動屋根の形態は、設置場所や用途に応じて適宜変更することができ、例えばアーチ形の屋根とすることもできる。屋根自体の構造は任意である。本発明は、カーポート、テラスの屋根、通路用シェルターなど、あらゆる簡易建物に適用できる。
【図面の簡単な説明】
【００１２】
【図１】図３のＡ−Ａ断面図である。
【図２】本発明の簡易建物の一実施形態を示す正面図である。
【図３】同簡易建物の平面図である。
【図４】同簡易建物の左側面図である。
【符号の説明】
【００１３】
１ａ，１ｂ  梁
２  固定屋根
３  可動屋根
４  梁の雨樋
５  可動屋根の雨樋
６  竪樋
１２  固定屋根の雨樋
【図１】
2008240246.tif 000003
【図２】
2008240246.tif 000004
【図３】
2008240246.tif 000005
【図４】
2008240246.tif 000006